(57)【要約】【課題】外部入力手段との接触による電気光学パネルの傷損を効果的に抑制できる電気光学機器および電気光学パネルを提供すること。【解決手段】この電気光学機器１Ａは、入力手段であるタッチペンＰを液晶表示パネル２に接触させて外部からの情報を入力されるタッチパネル式を採用する。ここで、液晶表示パネル２は、情報を入力するための情報入力画面を表示する表示面２ａを有する。また、液晶表示パネル２上には、保護部材３が設けられる。保護部材３は、タッチペンＰよりも硬質の材料から成る硬質層３１を有する。また、保護部材３は、硬質層３１にて液晶表示パネル２の表示面２ａを覆うと共に、硬質層３１にてタッチペンＰとの接触面を構成する。【選択図】      図１
2004280273.tif 000002
【特許請求の範囲】
【請求項１】
入力手段を電気光学パネルに接触させて外部からの情報を入力されるタッチパネル式の電気光学機器において、
情報を入力するための情報入力画面を表示する表示面を有する電気光学パネルと、前記入力手段よりも硬質の材料から成る硬質層を有すると共に前記電気光学パネル上に設置される保護部材とを含み構成され、且つ、
前記保護部材が、前記硬質層にて前記表示面を覆うと共に、前記硬質層にて前記入力手段との接触面を構成することを特徴とする電気光学機器。
【請求項２】
入力手段を電気光学パネルに接触させて外部からの情報を入力されるタッチパネル式の電気光学機器において、
情報を入力するための情報入力画面を表示する表示面を有する電気光学パネルと、前記入力手段よりも硬質の材料から成る硬質層を有すると共に前記電気光学パネル上に設置される保護部材と、前記電気光学パネルに積層される電磁誘導式のタブレットセンサと、前記表示面上にて磁界を発して前記タブレットセンサに情報を入力する入力手段とを含み構成され、且つ、
前記保護部材が、前記硬質層にて前記表示面を覆うと共に、前記硬質層にて前記入力手段との接触面を構成することを特徴とする電気光学機器。
【請求項３】
前記保護部材は、略板状構造を有することを特徴とする請求項１または２に記載の電気光学機器。
【請求項４】
前記保護部材は、前記表示面に対して面接触状態にて設置されることを特徴とする請求項１〜３のいずれか１つに記載の電気光学機器。
【請求項５】
前記保護部材は、前記硬質層よりも硬度が低く且つ前記表示面よりも硬度が高い結合層を有すると共に、当該結合層を介して前記電気光学パネルに貼り合わされることを特徴とする請求項１〜４のいずれか１つに記載の電気光学機器。
【請求項６】
さらに、前記電気光学パネルと前記保護部材とを収容する筐体を含み構成され、且つ、
前記保護部材が前記筐体により支持されると共に、前記電気光学パネルが前記筐体内に収容された状態にて前記保護部材に対して面接触状態にて付勢することを特徴とする請求項１〜４のいずれか１つに記載の電気光学機器。
【請求項７】
入力手段を接触させて外部からの情報を入力されるタッチパネル式の電気光学パネルにおいて、
情報を入力するための情報入力画面を表示する表示面と、前記入力手段よりも硬質の材料から成る硬質層を有すると共に前記表示面上に設置される保護部材とを含み構成され、且つ、
前記保護部材が、前記硬質層にて前記表示面を覆うと共に、前記硬質層にて前記入力手段との接触面を構成することを特徴とする電気光学パネル。
【請求項８】
入力手段を電気光学パネルに接触させて外部からの情報を入力されるタッチパネル式の電気光学機器の製造方法において、
情報を入力するための情報入力画面を表示する表示面を有する電気光学パネル上に、前記入力手段よりも硬質の材料から成る硬質層を有する保護部材を設置し、且つ、
前記保護部材を、前記硬質層にて前記表示面を覆うと共に、前記硬質層にて前記入力手段との接触面を構成するように形成することを特徴とする電気光学機器の製造方法。
【発明の詳細な説明】
【０００１】
【発明の属する技術分野】
この発明は、電気光学機器および電気光学パネルに関し、さらに詳しくは、外部入力手段との接触による電気光学パネルの傷損を効果的に抑制できる電気光学機器および電気光学パネル、並びに電子光学機器の製造方法に関する。
【０００２】
【従来の技術】
近年、タッチペン等の入力手段を電気光学パネルに接触させて外部からの情報を入力されるタッチパネル式の電気光学機器が開発されている。かかる従来の電気光学機器には、例えば、特許文献１に記載される技術が知られている。この従来の電気光学機器は、電気光学パネルの表示面側に偏光板を有する。そして、この偏光板が入力手段との接触面となる。このため、偏光板は、情報入力時にて入力手段により押圧されて擦られる。
【０００３】
【特許文献１】
特開平８−６４０６７号公報
【０００４】
【発明が解決しようとする課題】
しかしながら、偏光板は入力手段と比較して一般に柔らかいため、電気光学機器の継続的な使用により、偏光板に入力手段との接触による擦り傷が生ずる。このため、従来の電気光学機器では、この擦り傷により電気光学パネルの視認性が低下するという問題点があった。
【０００５】
そこで、この発明は、上記に鑑みてなされたものであって、外部入力手段との接触による電気光学パネルの傷損を効果的に抑制できる電気光学機器および電気光学パネル、並びに電気光学機器の製造方法を提供することを目的とする。
【０００６】
【課題を解決するための手段】
上記の目的を達成するために、この発明にかかる電気光学機器は、入力手段を電気光学パネルに接触させて外部からの情報を入力されるタッチパネル式の電気光学機器において、情報を入力するための情報入力画面を表示する表示面を有する電気光学パネルと、前記入力手段よりも硬質の材料から成る硬質層を有すると共に前記電気光学パネル上に設置される保護部材とを含み構成され、且つ、前記保護部材が、前記硬質層にて前記表示面を覆うと共に、前記硬質層にて前記入力手段との接触面を構成することを特徴とする。
【０００７】
この発明では、保護部材が、入力手段よりも硬質の材料から成る硬質層を有し、電気光学パネル上にその表示面を覆い設置されると共に、硬質層にて入力手段との接触面を構成する。この構成において、保護部材は、外部からの情報入力にあたり、入力手段と電気光学パネルの表示面との間に介在して、表示面を入力手段との接触から保護する。また、保護部材は、入力手段よりも硬質の材料から成るので、入力手段と接触しても摩耗し難い。これにより、入力手段との接触による表示面および保護部材の擦り傷の発生を抑制できるので、擦り傷の発生に伴う表示面の視認性の低下を抑制できる利点がある。なお、この発明において、保護部材は、電気光学パネルの表示面のうち少なくとも情報入力画面が表示される部分を、その硬質層にて覆えば足りる。
【０００８】
また、この発明にかかる電気光学機器は、入力手段を電気光学パネルに接触させて外部からの情報を入力されるタッチパネル式の電気光学機器において、情報を入力するための情報入力画面を表示する表示面を有する電気光学パネルと、前記入力手段よりも硬質の材料から成る硬質層を有すると共に前記電気光学パネル上に設置される保護部材と、前記電気光学パネルに積層される電磁誘導式のタブレットセンサと、前記表示面上にて磁界を発して前記タブレットセンサに情報を入力する入力手段とを含み構成され、且つ、前記保護部材が、前記硬質層にて前記表示面を覆うと共に、前記硬質層にて前記入力手段との接触面を構成することを特徴とする。
【０００９】
この発明では、電磁誘導式のタブレットセンサが電気光学パネルに積層して設けられ、入力手段からこのタブレットセンサに情報が入力される。また、保護部材が、入力手段よりも硬質の材料から成る硬質層を有し、電気光学パネル上にその表示面を覆い設置されると共に、硬質層にて入力手段との接触面を構成する。この構成において、保護部材は、外部からの情報入力にあたり、入力手段と電気光学パネルの表示面との間に介在して、表示面を入力手段との接触から保護する。また、保護部材は、入力手段よりも硬質の材料から成るので、入力手段と接触しても摩耗し難い。これにより、入力手段との接触による表示面および保護部材の擦り傷の発生を抑制できるので、擦り傷の発生に伴う表示面の視認性の低下を抑制できる利点がある。なお、この発明において、保護部材は、電気光学パネルの表示面のうち少なくとも情報入力画面が表示される部分を、その硬質層にて覆えば足りる。
【００１０】
また、この発明にかかる電気光学機器は、前記保護部材は、略板状構造を有することを特徴とする。
【００１１】
この発明では、保護部材が、略板状構造を有する。この構成にて、保護部材は、情報の入力時にて入力手段から筆圧を受け、この筆圧を分散して電気光学パネルに伝える。これにより、電気光学パネル上に集中荷重が生じ難くなるので、押圧による電気光学パネルの表示不良や破損を抑制できる利点がある。
【００１２】
また、この発明にかかる電気光学機器は、前記保護部材は、前記表示面に対して面接触状態にて設置されることを特徴とする。
【００１３】
この発明では、保護部材が、電気光学パネルの表示面上に面接触状態にて設置される。これにより、電気光学パネルとの間にクリアランスを設けて保護部材を設置する場合と比較して、電気光学機器の総厚を薄くできる利点がある。
【００１４】
また、この発明にかかる電気光学機器は、前記保護部材は、前記硬質層よりも硬度が低く且つ前記表示面よりも硬度が高い結合層を有すると共に、当該結合層を介して前記電気光学パネルに貼り合わされることを特徴とする。
【００１５】
この発明では、保護部材が、結合層を有する。この結合層は、硬質層よりも硬度が低くて電気光学パネルの表示面よりも硬度が高い。保護部材は、この結合層を介して電気光学パネルに貼り合わされる。これにより、保護部材の硬質層を電気光学パネルの表示面に直接貼り付ける場合と比較して、保護部材を容易に貼り付けられる利点がある。
【００１６】
また、この発明にかかる電気光学機器は、さらに、前記電気光学パネルと前記保護部材とを収容する筐体を含み構成され、且つ、前記保護部材が前記筐体により支持されると共に、前記電気光学パネルが前記筐体内に収容された状態にて前記保護部材に対して面接触状態にて付勢することを特徴とする。
【００１７】
この発明では、保護部材が、電気光学機器の筐体で支持され、また、収容状態にて電気光学パネルに面接触状態で付勢する。この構成において、保護部材は、情報の入力時にて入力手段から筆圧を受け、この荷重を分散して筐体に伝える。これにより、電気光学パネル上に集中荷重が生じ難くなるので、押圧による電気光学パネルの表示不良や破損を抑制できる利点がある。
【００１８】
また、この発明にかかる電気光学パネルは、入力手段を接触させて外部からの情報を入力されるタッチパネル式の電気光学パネルにおいて、情報を入力するための情報入力画面を表示する表示面と、前記入力手段よりも硬質の材料から成る硬質層を有すると共に前記表示面上に設置される保護部材とを含み構成され、且つ、前記保護部材が、前記硬質層にて前記表示面を覆うと共に、前記硬質層にて前記入力手段との接触面を構成することを特徴とする。
【００１９】
また、この発明にかかる電気光学機器の製造方法は、入力手段を電気光学パネルに接触させて外部からの情報を入力されるタッチパネル式の電気光学機器の製造方法において、情報を入力するための情報入力画面を表示する表示面を有する電気光学パネル上に、前記入力手段よりも硬質の材料から成る硬質層を有する保護部材を設置し、且つ、前記保護部材を、前記硬質層にて前記表示面を覆うと共に、前記硬質層にて前記入力手段との接触面を構成するように形成することを特徴とする。
【００２０】
【発明の実施の形態】
以下、この発明につき図面を参照しつつ詳細に説明する。なお、この実施の形態によりこの発明が限定されるものではない。また、以下に示す実施の形態の構成要素には、当業者が置換可能且つ容易なもの、或いは実質的同一のものが含まれる。
【００２１】
図１は、この発明の実施の形態にかかる電気光学機器を示す断面図である。図２は、図１に記載した電気光学機器の要部を示す組立図である。この電気光学機器１Ａは、タッチペンＰにより情報入力が可能なタッチパネル方式を採用する。電気光学機器１Ａは、液晶表示パネル２と、保護部材３と、バックライト４と、タブレットセンサ５と、筐体６とを含み構成される。液晶表示パネル２は、一対のガラス基板２１，２２を貼り合わせ、これらのガラス基板２１，２２間にシール材２３を設けてセルを形成し、このセル内に柱状のギャップ材２４をフォトリソグラフィーによって形成すると共に、液晶材料２５を封入して成る。ギャップ材２４は、例えばアクリル樹脂を用いることができる。このように、柱状のギャップ材２４を用いることで、表示滲みが少なく、また液晶へのダメージを低減できる。なお、柱状のギャップ材２４の代わりに、球状のギャップ材を散布してもよい。また、ガラス基板２１，２２の外面には、偏光板２６，２７が設けられる。この偏光板２６，２７の表面は、ＴＡＣ（トリアセチルセルロース）から成り、ＰＯＭ（ポリアセタール）等の樹脂や金属材料から成るタッチペンＰよりも一般に柔らかい。したがって、この偏光板２６をタッチペンＰにより直接擦ると、偏光板２６に摩耗が生じて液晶表示パネル２の視認性が低下する。液晶表示パネル２は、タッチペンＰにより情報を入力するための情報入力画面を表示する。
【００２２】
保護部材３は、硬質層３１と、結合層３２とを積層して構成され、液晶表示パネル２の表示面２ａ上に、偏光板２６を覆って配置される。このとき、保護部材３は、結合層３２側にて液晶表示パネル２の偏光板２６に重ね合わされ、高分子材料等から成る接着剤を用いて貼り付けられる。保護部材３は、硬質層３１側の表面にてタッチペンＰとの接触面３ａを形成し、この接触面３ａにてタッチペンＰにより押圧され擦り合わされる。硬質層３１は、板状形状を有し、酸化珪素（ＳｉＯ２）、アクリル樹脂、または、その他の硬質材料から成る。このため、硬質層３１は、タッチペンＰよりも硬い。具体的には、タッチペンＰが鉛筆硬度にて１［Ｈ］程度なのに対して、硬質層３１は、約２〜５［Ｈ］程度の硬さを有する。なお、偏光板２６の硬度は、通常、１［Ｈ］弱である。一方、結合層３２は、硬質層３１の下面に、物理的蒸着法、化学的蒸着法、スパッタリング法その他の薄膜形成技術を用いて膜状に形成される。また、結合層３２は、ポリエチレンテレフタラート樹脂、ノルボルネン樹脂、石英ガラス、または、その他の硬質材料から成る。このため、結合層３２は、液晶表示パネル２の偏光板２６より硬く、また、硬質層３１よりも柔らかい。また、硬質層３１および結合層３２は、いずれも光透過特性を有すると共に、磁界透過特性を有する。
【００２３】
バックライト４は、ＬＥＤ（発光ダイオード：Ｌｉｇｈｔ  Ｅｍｉｔｔｉｎｇ  Ｄｉｏｄｅ）、冷陰極管等の光源と、導光板とを含み構成され、液晶表示パネル２の背面側に配置される。タブレットセンサ５は、ＦＰＣ（Ｆｌｅｘｉｂｌｅ  Ｐｒｉｎｔ  Ｃｉｒｃｕｉｔ：フレキシブル基板）やＰＣＢ（Ｐｒｉｎｔｅｄ  Ｃｉｒｃｕｉｔ  Ｂｏａｒｄ：プリント回路基板）等の薄型基板から成り、バックライト４の背面側に設けられる。このタブレットセンサ５は、タッチペンＰと共に電磁誘導方式のペン型入力装置を構成する。このペン型入力装置では、まず、タブレットセンサ５が、複数のセンサコイル群を配列して成る入力面を有し（図示省略）、このセンサコイル群に短い時間だけ交流電流を流して入力面に所定の磁界を発生させる。一方、タッチペンＰは、内部にコイルとコンデンサとを有する（図示省略）。そして、このタッチペンＰを保護部材３の接触面３ａに接触させつつ文字や図形を描いて情報を入力する。すると、タッチペンＰは、タブレットセンサ５の磁界を受けてコイルに誘導電流を生じ、この誘導電流によりコンデンサに電気を蓄える。そして、タッチペンＰは、蓄えた電気を源としてコイルに電流を生じさせ、タブレットセンサ５側のセンサコイル群に誘導電流を生じさせる。タブレットセンサ５は、この誘導電流によりタッチペンＰの位置および軌跡を判断し、入力された文字や図形を認識する。これにより、タッチペンＰを用いた情報入力が可能となる。
【００２４】
これらの保護部材３、液晶表示パネル２、バックライト４およびタブレットセンサ５は、この順にて積層されて一体化され、筐体６内に収容される。ここで、筐体６は、開口部６ａを有し、この開口部６ａにて保護部材３を外部に露出すると共に、この開口部６ａから液晶表示パネル２の表示面２ａを外部に覗かせる。また、筐体６は、開口部６ａの内周に係止部６ｂを有する。筐体６は、この係止部６ｂを保護部材３の接触面３ａ縁部に当てて保護部材３を上方から係り止める。また、筐体６は、裏蓋６ｃをタブレットセンサ５の背面に付勢させつつ固定する。これにより、筐体６は、保護部材３、液晶表示パネル２、バックライト４およびタブレットセンサ５を内部にしっかりと固定する。なお、筐体６の裏蓋６ｃと、タブレットセンサ５との間には、電気光学機器１Ａの回路基板（図示省略）が挟み込まれる場合がある。
【００２５】
この電気光学機器１Ａにおいて、液晶表示パネル２は、情報を入力するための情報入力画面をその表示面に表示する。タッチペンＰは、情報を入力するにあたり、保護部材３を介して液晶表示パネル２の表示面に接触する。このとき、保護部材３は、その接触面３ａにてタッチペンＰと接触して擦れ合う。しかし、この接触面３ａは、硬質材料から成る硬質層３１により構成されるため、タッチペンＰと偏光板２６とが直接擦れ合う従来の電気光学機器と比較して、極めて傷つき難くまた摩耗し難い。これにより、擦り傷による液晶表示パネル２の視認性の低下を効果的に抑制できる利点がある。また、従来の電気光学機器では、タッチペンＰの筆圧によりガラス基板２１が変形して、液晶表示パネル２の表示に滲みやニュートンリングが生じる問題点があった。この点において、この電気光学機器１Ａでは、硬質材料から成る保護部材３を液晶表示パネル２上に設けたので、筆圧が分散されて、表示の滲みやニュートンリングの発生が抑制される。これにより、液晶表示パネル２の表示特性を向上できる利点がある。また、従来の電気光学機器では、タッチペンＰの筆圧によりシール材２３やギャップ材２４が変形して、液晶表示パネル２のセルギャップが変動する問題点があった。この点において、この電気光学機器１Ａでは、硬質材料から成る保護部材３を液晶表示パネル２上に設けたので、筆圧が分散されて、ガラス基板２２への集中荷重が抑制される。これにより、シール材２３等の変形が抑制されるので、セルギャップの変動を効果的に抑制できる利点がある。
【００２６】
また、電磁誘導方式のペン型入力装置では、例えば、抵抗検知型のペン型入力装置と比較して、タッチペンＰとセンサとの直接的もしくは間接的な接触を要しない。このため、上記タッチペンＰの筆圧による問題点を解決する手段として、液晶表示パネル２と保護部材３との間にクリアランスを設け、これらが接触しないように筐体６内に収容する構成もある（図示省略）。これにより、筆圧による液晶表示パネル２の表示の滲みやニュートンリングの発生を防止できる。しかし、かかる構成では、クリアランスの分だけ電気光学機器の厚みが増加すると共に、クリアランスの空気層により光の乱反射が生じるという問題点がある。この点において、この電気光学機器１Ａでは、保護部材３を液晶表示パネル２に貼り付ける構成を採るので、かかるクリアランスが存在しない。これにより、電気光学機器１Ａを薄型化できると共に、液晶表示にかかる光学特性を向上できる利点がある。また、電気光学機器１Ａの外観も向上できる利点がある。
【００２７】
なお、この電気光学機器１Ａでは、電磁誘導方式のペン型入力装置Ｐ、５を採用する。これは、薄型、省スペース、入力のし易さといった点で好ましい。しかし、これに限らず、光検知方式のタッチパネル等その他のペン型入力装置に適用しても良い。
【００２８】
この電気光学機器１Ａでは、比較的無色透明のフィルムを使用し、液晶の偏光板に蒸着、塗布、あるいはフィルムを介して空気層を排除するように硬質材料から成る硬質層３１を形成する。これにより、透過率の低下、反射、うねり、色付きといった見栄えの低下を回避することができる。
【００２９】
また、この電気光学機器１Ａでは、ペン型の入力手段を接触面３ａに当てて情報を入力するペン型入力装置を採用する。しかし、これに限らず、人の指その他の入力手段を接触面３ａに当てて情報を入力するタッチパネル式の入力手段を採用しても良い。したがって、この電気光学機器１Ａの構成は、入力手段がペン型を有するものに限定されない。
【００３０】
また、この電気光学機器１Ａでは、電気光学パネルとして液晶表示パネル２を採用する。しかし、これに限らず、この実施の形態にかかる構成を、有機エレクトロルミネッサンスその他の電気光学パネルに採用しても良い（図示省略）。かかる電気光学パネルには、表示面側に偏光板を有さないものもある。かかる場合にも、その表示面に保護部材３を設ければ、タッチペンＰとの接触による表示面の損傷や、筆圧による集中荷重に起因する問題を効果的に抑制できる利点がある。
【００３１】
また、この電気光学機器１Ａにおいて、酸化珪素やアクリル樹脂から成る硬質層３１を、偏光板２６に直接貼り付けることは、特に量産品に関して困難である。これは、両者の硬度に差が有り過ぎるためである。そこで、この電気光学機器１Ａでは、保護部材３を硬質層３１および結合層３２から成る２層構造とした。そして、この結合層３２を、硬質層３１と偏光板２６との中間の硬度とし、これらの接続面として用いた。これにより、高い硬度を有する硬質層３１を、偏光板２６上にしっかりと貼り付けられる利点がある。しかし、これに限らず、優れた糊が有れば、保護部材３を硬質層３１のみの単層構造とし、この糊を用いて偏光板２６に直接貼り付けても良い。これにより、結合層３２を省略できる利点がある。
【００３２】
また、この電気光学機器１Ａでは、板状部材から成る硬質層３１に、薄膜状の結合層３２を形成した。これは、硬い硬質層３１を板状構造とすることにより、タッチペンＰからの筆圧を効果的に分散できる点で好ましい。しかし、これに限らず、硬質層３１および結合層３２をいずれも板状部材とし、これらを糊その他の結合手段により貼り合わせて保護部材３を形成しても良い。これにより、その板状構造によりタッチペンＰからの筆圧をより効果的に分散できる利点がある。また、結合層３２側を板状構造とし、これに硬質層３１を蒸着法、スパッタリング法その他の薄膜形成法により形成しても良い。また、保護部材３の設置工程の変形例として、まず、液晶表示パネル２の偏光板２６側に結合層３２を形成し、この結合層３２上に硬質層３１を形成しても良い。また、かかる構成では、硬質層３１および結合層３２を、薄膜形成法、板状部材の貼付、および液体材料の塗布のいずれにより形成しても良い。特に、硬質層３１および結合層３２のいずれか一方を板状部材とすれば、その板状構造により、タッチペンＰからの筆圧を効果的に分散できる利点がある。
【００３３】
（変形例）
図３は、この実施の形態の変形例にかかる電気光学機器を示す組立図である。同図において、上記実施の形態の構成要素と同一の構成要素には同一の符号を付し、その説明を省略する。この電気光学機器１Ｂは、電気光学機器１Ａと比較して、保護部材３が、筐体６により固定支持される点で相異する。詳細には、この電気光学機器１Ｂでは、筐体６が、開口部６ａ内周の上下の縁部に、保護部材３を挟み込む一対の挟持部６ｄ、６ｅを有する。保護部材３は、これらの挟持部６ｄ、６ｅ間に側方からスライドさせて挟み込まれ、その外周縁部を挟持部６ｄ、６ｅに上下方向から支持されて、筐体６の開口部６ａに固定状態にて保持される。これにより、保護部材３は、筐体６の壁面の一部として機能する。そして、液晶表示パネル２，バックライト４、タブレットセンサ５は、この順にて積層され、液晶表示パネル２の表示面２ａ側から覆い被すように筐体６内に収容される。そして、これらは、タブレットセンサ５の底部から筐体６の裏蓋６ｃを押し当てられて筐体６内に固定される。このとき、液晶表示パネル２は、その表示面２ａを保護部材３の接着層３２の下面に面接触状態で付勢する。すなわち、保護部材３は、筐体６の壁面の一部として液晶表示パネル２の偏光板２６の上面から付勢する。これにより、液晶表示パネル２と保護部材３との間にクリアランスを設ける場合と比較して、電気光学機器１Ｂの表示特性を高められる利点がある。
【００３４】
この電気光学機器１Ｂにおいて、情報入力時には、タッチペンＰの筆圧が保護部材３の接触面３ａに加わる。このとき、保護部材３は、硬質材料から成るので、筆圧による湾曲もしくは凹みが小さい。また、保護部材３は、筐体６の開口部６ａに固定状態で支持されるので、タッチペンＰの筆圧を筐体６側に分散し、液晶表示パネル２側に余り伝えない。これにより、筆圧による液晶表示パネル２の表示滲みやニュートンリングの発生、シール材２３やギャップ材２４の変形を効果的に抑制できる利点がある。
【００３５】
また、上述した実施形態では、電気光学機器の一例として、液晶表示装置について説明したが、本発明はこれに限定されず、例えば、エレクトロルミネッセンス装置、特に、有機エレクトロルミネッセンス装置、無機エレクトロルミネッセンス装置等や、プラズマディスプレイ装置、ＦＥＤ（フィールドエミッションディスプレイ）装置、ＬＥＤ（発光ダイオード）表示装置、電気泳動表示装置、薄型のブラウン管、液晶シャッター等を用いた小型テレビ、ＤＭＤ（デジタルマイクロミラーデバイス）を用いた装置、携帯電話機、ＰＤＡ（Ｐｅｒｓｏｎａｌ  Ｄｉｇｉｔａｌ  Ａｓｓｉｓｔａｎｔｓ）と呼ばれる携帯型情報機器や携帯型パーソナルコンピュータ、パーソナルコンピュータ、デジタルスチルカメラ、車載用モニタ、デジタルビデオカメラ、液晶テレビ、ビューファインダ型、液晶プロジェクタ、モニタ直視型のビデオテープレコーダ、カーナビゲーション装置、ページャ、電子手帳、電卓、ワードプロセッサ、ワークステーション、テレビ電話機、ＰＯＳ端末機などの電気光学機器に適用してもよい。また、この液晶表示パネル２は、バックライト４を有する透過型の液晶表示パネルである。しかし、アクティブマトリックス型のカラー液晶表示パネルであっても同様である。
【図面の簡単な説明】
【図１】この実施の形態にかかる電気光学機器を示す断面図である。
【図２】図１に記載した電気光学機器の要部を示す組立図である。
【図３】変形例にかかる電気光学機器を示す組立図である。
【符号の説明】
１Ａ、１Ｂ  電気光学機器；  ２  液晶表示パネル；  ３  保護部材；  ３ａ接触面；  ５  タブレットセンサ；  ２６、２７  偏光板；  ３１  硬質層；３２  接着層；  ３２  結合層；  Ｐ  タッチペン；  Ｐ、５  ペン型入力装置
【図１】
2004280273.tif 000003
【図２】
2004280273.tif 000004
【図３】
2004280273.tif 000005